(57)【特許請求の範囲】
【請求項１】
カメラと角度調節手段から構成されて美容室の壁面に設置されるミラーディスプレイ；
前記ミラーディスプレイの前方に回動自在に設置される椅子；及び
前記ミラーディスプレイとミラーリングされるスマート機器；を備え、椅子に着席した利用者によるスマート機器の操作によってミラーディスプレイを使用することができるようにするが、
前記スマート機器では、アプリまたはサーバーを用いて性別別、年齢帯別の似合うヘアスタイルの提供を受けてミラーリングでミラーディスプレイに表示するか、或いは、検索によって有名人のヘアスタイルの提供を受けてミラーリングでミラーディスプレイに表示し、
前記ミラーディスプレイまたはスマート機器を用いて提供されたヘアスタイルのいずれか一つを選択した場合には、カメラを介してミラーディスプレイに表示される利用者の画像に当該ヘアスタイルが適用され、利用者の動きに応じて立体的に見えるように構成され、
前記ミラーディスプレイに設けられた角度調節手段は、ミラーディスプレイの下部にヒンジ結合されるように美容室の壁面に固定設置されるヒンジ軸と、前記ミラーディスプレイの上部に結合されるように美容室の壁面に設置され、前記ミラーディスプレイをヒンジ軸を基準に回動させるアクチュエータと、前記アクチュエータを作動させる作動スイッチとから構成され、ミラーディスプレイの設置角度を利用者の身長に応じて所望の角度に調節して使用することができ、
前記ミラーディスプレイには節電機能がさらに含まれて適用され、前記椅子には、前記ミラーディスプレイの節電機能を作動させる作動センサーがさらに含まれて構成され、利用者が椅子に座ったときには作動センサーの感知によりミラーディスプレイの画面の画像が表示され、利用者が椅子から立ち上ったときには作動センサーの未感知によりミラーディスプレイの節電機能が作動して画面の画像が表示されないことを特徴とする、仮想現実を利用したヘアスマートミラーシステム。
【請求項２】
前記椅子の背もたれ部の最上端または椅子が配置された位置の天井には、ミラーディスプレイに連結される指向性スピーカーが含まれて構成され、利用者の位置した一定の範囲内でのみ音響を聞くことができるように構成されることを特徴とする、請求項１に記載の仮想現実を利用したヘアスマートミラーシステム。
【請求項３】
前記スマート機器を介して操作されるミラーディスプレイには、カメラ撮影によるイメージセンシングを介して利用者の性別、年齢帯および顔型を自動把握し、似合うヘアスタイルが含まれているデータベースを自動的に見せる自動設定機能がさらに含まれて構成されることを特徴とする、請求項１に記載のヘアスマートミラーシステム。
【請求項４】
前記スマート機器を介して操作されるミラーディスプレイには、提供されるヘアスタイルの染色またはコーティングの種類の選択、薬品の製造会社の選択、及びカラーの選択を行うことができる付加機能がさらに含まれて構成され、付加機能の選択に応じて当該価格が表示されることを特徴とする、請求項１または３に記載の仮想現実を利用したヘアスマートミラーシステム。
【請求項５】
前記スマート機器を介して操作されるミラーディスプレイには、録画機能と比較機能がさらに含まれて構成され、美容前、後の状態をミラーディスプレイの画像を通じて比較することができ、
前記付加機能によって選択された事項、及びミラーディスプレイによって録画された美容後の画像は、スマート機器のアプリまたはミラーディスプレイに連携されたサーバーに登録され、他の美容室でも既存のヘアスタイルの履歴及び画像を確認することができるように構成されることを特徴とする、請求項４に記載の仮想現実を利用したヘアスマートミラーシステム。
【発明の詳細な説明】
【技術分野】
【０００１】
本発明は、仮想現実を利用したヘアスマートミラーシステムに係り、より具体的には、ミラーディスプレイとミラーリングされるスマート機器を利用者が操作してＴＶ、映画、ショッピング、ゲーム、カカオトーク（ＫａｋａｏＴａｌｋ）などの様々な機能を実行することができ、最新のトレンドまたは有名人のヘアスタイルを、自分の好み及び費用を適切に調律して自分の体に立体的に適用させることにより、自分に似合うヘアスタイルを簡単に実現することができ、録画機能、比較機能及び登録によって美容前、後の状態比較だけでなく、他の美容室でも既存のヘアスタイルの履歴及び画像を確認して同じスタイルリングをすることができ、角度調節手段によって利用者の身長に関係なくミラーディスプレイの画像を容易に見ることができるうえ、メンテナンス費用の節減と周辺への騒音拡散の防止を図ることができる、仮想現実を利用したヘアスマートミラーシステムに関する。
【背景技術】
【０００２】
外的な美が強調されている現代の生活で、ヘアスタイルの比重が益々大きくなっている傾向にあり、最近になって、ヘアショップにはこのような傾向を反映する施設が備わっている。
【０００３】
また、パーマや染色、ヘアトリートメントなどの施術は、かなり長い時間を必要とするが、このような施術を受ける顧客の立場では、比較的長い時間を退屈に過ごす場合がほとんどであり、これにより、顧客がヘア施術を受ける間に様々な画像を提供するようにする美容室向けの多機能モニタリング装置が開発されるに至った。
【０００４】
しかし、従来の技術による美容室向けの多機能モニタリング装置は、顧客がミラーを介して見ることができない顧客の後ろ髪部分を撮影した画像を、顧客の前面に位置するモニターによって提供することにより、顧客が自分の髪状態をモニタリングすることができるようにする機能を主として、ＴＶ視聴、映画鑑賞及びインターネット活用などの付加機能のみを提供するものであって、髪のお手入れを受ける顧客の顔画像に様々なヘアスタイルを組み合わせて、顧客がディスプレイユニットを介して自分の希望するヘアスタイルを選択することができるようにしたり、顧客の皮膚または頭皮の状態を測定してくれるサービスを提供したりすることができないため、顧客の要求条件を満たすことが難しいという問題点があった。
【０００５】
一方、生活水準が向上するにつれて、生活の質と個性が重要視されているだけでなく、ヘアスタイルの管理に対する欲求及び関心が大きく増大しているが、実生活ではヘアスタイルの選択や管理が体系的ではなく不便であって、自分に似合うヘアスタイルを選択及び維持する上で多くの困難さと試行錯誤を経ている。
【０００６】
実際、ヘアショップ（例えば、美容室）の利用者は、美容協会から提供される雑誌または人気芸能人の写真を参照して自分のヘアスタイルを選択し、或いは美容師の助言を参照して自分のヘアスタイルを決定するので、美容作業の前には、自分に似合うヘアスタイルを把握することが難しく、前記雑誌などは単に長時間待機する上で暇つぶしの目的でのみ使用されている。
【０００７】
また、自分に似合うヘアスタイルを見付けたとしても、美容師によって美容方法及び美容技術が異なるから、ヘアショップまたは美容師を変えた場合には所望のヘアスタイルを維持することが難しいという問題点があった。
【０００８】
このような問題点を改善するために、一部のヘアショップで導入していた技術であって、ヘアショップを訪れた顧客の顔を正面からデジタルカメラで撮影した後、その画像データをコンピュータに入力し、予めコンピュータに保存されている幾つかのヘアスタイルを単純に顧客の顔画像に合わせてみるシミュレーションシステムがあった。
【０００９】
ところが、このようなシミュレーションシステムは、個々のヘアショップごとに設置されて使用されるので、サンプルヘアスタイルのリアルタイムアップデートが不可能であって、急速に変化するトレンドに合わせるのは難しいだけでなく、ヘアショップの利用者がヘアショップを変えた場合には、以前のヘアスタイル履歴に関する情報がないため、顧客の好みやニーズに適切に応えることが難しく、これにより、今ではほとんど顧客からそっぽを向かれている。
したがって、従来は、このような問題点を解決するために、ヘアショップの利用者がヘアショップを変更しても、利用者のヘアスタイル履歴が体系的に管理できるオンラインヘアスタイル管理サービス方法に提供されたこともあった。これは韓国登録特許第１０−０３９５７６０号によって確認することができる。
しかし、前述した従来の「オンラインヘアスタイル管理サービス方法」は、顧客のヘアスタイルのシミュレーション及び履歴の確認のみが可能であったばかりで、待機時間の退屈さを減らすには何の役にも立たないという問題点があった。
つまり、パーマまたは染色のためには通常２時間以上かかるが、２時間以上の待機時間の間には、一側に設置されているテレビを視聴する以外はやるべきことが何にもなくて、ヘアをスタイリングする利用者が長時間の退屈さに疲れてしまうという問題点があった。
【００１０】
そこで、本出願人は、利用者の好み及び費用に合う所望のヘアスタイリングを簡単に決めることができるだけでなく、長時間続く待機時間にも退屈さを避けることができる、仮想現実を利用したヘアスマートミラーシステムを開発するに至った。
【先行技術文献】
【特許文献】
【００１１】
【特許文献１】韓国登録特許第１０−０３９５７６０号公報
【発明の概要】
【発明が解決しようとする課題】
【００１２】
本発明の目的は、ミラーディスプレイとミラーリングされるスマート機器を利用者が操作してＴＶ、映画、ショッピング、ゲーム、カカオトークなどの様々な機能を実行することができ、最新のトレンドまたは有名人のヘアスタイルを自分の体に適用させて立体的にシミュレーションすることができるようにすることで、自分に似合うヘアスタイルを容易に実現することができる、仮想現実を利用したヘアスマートミラーシステムを提供することにある。
【００１３】
本発明の他の目的は、アクチュエータとヒンジ軸から構成された角度調節手段によってミラーディスプレイの設置角度を所望のとおりに調節することができるようにすることで、利用者の身長に関係なく、ミラーディスプレイの画像を容易に見ることができる、仮想現実を利用したヘアスマートミラーシステムを提供することにある。
【００１４】
本発明の別の目的は、利用者が椅子に座ったときにのみミラーディスプレイの画面の画像が表示されるようにする節電機能によって省エネルギーによるメンテナンス費用の節減及びパネルの寿命延長を実現することができるととともに、指向性スピーカーを介して利用者の位置した一定の範囲内でのみ音響を聞くことができるようにして騒音が誘発されない、仮想現実を利用したヘアスマートミラーシステムを提供することにある。
本発明のさらに別の目的は、スマート機器のアプリまたはサーバーを用いてミラーディスプレイに提供されるヘアスタイルの種類、染色またはコーティングによるカラー、及び薬品の製造会社を選択することができる付加機能がさらに含まれるとともに、付加機能の選択の際に、該当価格をミラーディスプレイを介して即時確認することができるようにすることで、自分の好みや費用を適切に調律してヘアスタイルを実現することができる、仮想現実を利用したヘアスマートミラーシステムを提供することにある。
【００１５】
本発明のさらに別の目的は、録画機能によって美容前、後の状態を録画した後、比較機能によって美容前、後の状態を画像を介して比較することができるため、利用者の満足度を向上させることができ、付加機能として選択した事項及び録画された美容後の画像をアプリまたはサーバーに登録することができるようにすることで、他の美容室でも既存のヘアスタイルの履歴と画像を確認して同様にスタイリングすることができる、仮想現実を利用したヘアスマートミラーシステムを提供することにある。
【課題を解決するための手段】
【００１６】
上記の目的を達成するための本発明は、カメラと角度調節手段から構成されて美容室の壁面に設置されるミラーディスプレイ；前記ミラーディスプレイの前方に回動自在に設置される椅子；及び前記ミラーディスプレイとミラーリングされるスマート機器；を備え、椅子に着席した利用者によるスマート機器の操作によってミラーディスプレイを使用することができるようにするが、前記スマート機器では、アプリまたはサーバーを用いて性別別、年齢帯別の似合うヘアスタイルの提供を受けてミラーリングでミラーディスプレイに表示するか、或いは、検索によって有名人のヘアスタイルの提供を受けてミラーリングでミラーディスプレイに表示し、前記ミラーディスプレイまたはスマート機器を用いて提供されたヘアスタイルのいずれか一つを選択した場合には、カメラを介してミラーディスプレイに表示される利用者の画像に当該ヘアスタイルが適用されて、利用者の動きに応じて立体的に見えることを特徴とする、仮想現実を利用したヘアスマートミラーシステムを提供する。
【発明の効果】
【００１７】
本発明の仮想現実を利用したヘアスマートミラーシステムによれば、ミラーディスプレイとミラーリングされる利用者のスマート機器を操作してＴＶ、映画、ショッピング、ゲーム、カトオトークなどの様々な機能を実行することができるだけでなく、最新のトレンドまたは有名人のヘアスタイルを自分の体に適用させて立体的にシミュレートすることができるので、自分に似合うヘアスタイルを容易に実現することができるという利点がある。
【００１８】
また、本発明は、アクチュエータとヒンジ軸から構成された角度調節手段によってミラーディスプレイの設置角度を所望のとおりに調節することができるので、利用者の身長に関係なく、ミラーディスプレイの画像を容易に見ることができるという利点がある。
また、本発明は、利用者が椅子に座ったときにのみミラーディスプレイの画面の画像が表示されるようにする節電機能によって省エネルギーによるメンテナンス費用の節減及びパネルの寿命延長を実現することができるとともに、指向性スピーカーを介して利用者の位置した一定の範囲内でのみ音響を聞くことができるので、騒音が誘発されないという利点がある。
また、本発明は、スマート機器のアプリまたはサーバーを用いてミラーディスプレイに提供されるヘアスタイルの種類、染色またはコーティングによるカラー及び薬品の製造会社を選択することができる付加機能がさらに含まれるとともに、付加機能の選択の際に、該当価格をミラーディスプレイを介して即時確認することができるので、自分の好みや費用を適切に調律してヘアスタイルを実現することができるという利点がある。
【００１９】
また、本発明は、録画機能によって美容前、後の状態を録画した後、比較機能によって美容前、後の状態を画像を介して比較することができるため、利用者の満足度を向上させることができ、付加機能として選択した事項及び録画された美容後の画像をアプリまたはサーバーに登録することができるので、他の美容室でも既存のヘアスタイルの履歴と画像を確認して同様にスタイリングすることができる有用な発明である。
【図面の簡単な説明】
【００２０】
【図１】本発明の仮想現象を利用したヘアスマートミラーシステムを示す概略図である。
【図２】利用者が本発明の設置された椅子に座って、角度調節手段によって角度が調節されたミラーディスプレイを利用する状態図である。
【図３】本発明のミラーディスプレイとミラーリングされたスマート機器を用いて所望のヘアスタイリングを選択する状態を順次示す状態図である。
【発明を実施するための形態】
【００２１】
以下、前述した問題点を解決するための本発明の構成を考察する。
本発明は、図１乃至図３に示すように、仮想現実を利用したヘアスマートミラーシステムに関するもので、カメラ１１と角度調節手段１３から構成されて美容室の壁面１に設置されるミラーディスプレイ１０；前記ミラーディスプレイ１０の前方に回動自在に設置される椅子２０；及び前記ミラーディスプレイ１０とミラーリングされるスマート機器３０；を備え、椅子２０に着座した利用者によるスマート機器３０の操作によってミラーディスプレイ１０を使用することができるようにするが、前記スマート機器３０では、アプリまたはサーバーを用いて性別別、年齢帯別の似合うヘアスタイルの提供を受けてミラーリングによってミラーディスプレイ１０に表示し、或いは検索によって有名人のヘアスタイルの提供を受けてミラーリングによってミラーディスプレイ１０に表示し、前記ミラーディスプレイ１０またはスマート機器３０を用いて提供されたヘアスタイルのいずれか一つを選択した場合には、カメラ１１を介してミラーディスプレイ１０に表示される利用者の画像に当該ヘアスタイルが適用され、利用者の動きに応じて立体的に見えることを特徴とする。
【００２２】
次に、本発明の仮想現実を利用したヘアスマートミラーシステムについてより詳細に説明する。
【００２３】
第一に、ミラーディスプレイ１０は、待機時には反射をなすミラー機能を実行し、ミラーディスプレイ１０の作動時にはディスプレイ機能を実行する公知の装置であって、上部または側面には椅子に座った利用者の頭部を撮影するためのカメラ１１が構成されている。
前記ミラーディスプレイ１０は、美容室の壁面１に固定設置されることもできるが、利用者の身長に応じた目の高さの差を補完することを可能とするために設置角度が調節されるように構成されることが好ましく、このような設置角度の調節は、ミラーディスプレイ１０に角度調節手段１３をさらに含めて構成することにより容易に達成できる。
【００２４】
また、上述した角度調節手段１３は、ミラーディスプレイ１０の下部にヒンジ結合されるように美容室の壁面１に固定設置されるヒンジ軸１３ａと、前記ミラーディスプレイ１０の上部に結合されるように美容室の壁面１に設置され、前記ミラーディスプレイ１０をヒンジ軸１３ａを基準に回動させるアクチュエータ１３ｂと、前記アクチュエータ１３ｂを作動させる作動スイッチ１３ｃとから構成できる。
【００２５】
ここで、前記ミラーディスプレイ１０は、角度調節手段１３による角度調節の際に、アクチュエータ１３ｂが見えないように壁面１に収納される形で設置されることが好ましく、前記アクチュエータ１３ｂの下部には通常の受け台が備えられ、前記受け台には作動スイッチ１３ｃが設置されることが好ましい。
【００２６】
前記作動スイッチ１３ｃは、利用者が便利に操作することができるように椅子２０に設置されてもよく、スマート機器３０のアプリを介して操作するように構成されてもよい。
【００２７】
第二に、椅子２０は、美容師によるヘアスタイリングをより便利に行えるように利用者が座る通常の構成であって、前述したように、前記椅子２０には、角度調節手段１３のアクチュエータ１３ｂを作動させる通常の作動スイッチ１３ｃが構成されてもよい。
【００２８】
本発明では、前記ミラーディスプレイ１０に節電機能がさらに含まれて適用されることを特徴とする。
ここで、前記ミラーディスプレイ１０の節電機能は、公知のセンサーによって人体が感知されるかどうかに応じて作動するようにすることもできるが、本発明では、前記椅子２０に前記ミラーディスプレイ１０の節電機能を作動させる作動センサー２０ａがさらに含まれる構成からなることを特徴とする。
【００２９】
したがって、利用者が椅子２０に座ったときには、作動センサー２０ａの感知によりミラーディスプレイ１０の画面の画像が表示され、利用者が椅子２０から立ち上がったときには作動センサー２０ａの未感知によりミラーディスプレイ１０の節電機能が作動して画面の画像が表示されなくなる。
【００３０】
前記作動センサー２０ａは、通常のタッチセンサーから構成されることもできるが、人体の重さを感知して一定以上の荷重が加えられたときにのみ作動する重量センサーから構成されることが好ましく、これによれば、美容師が動いたり軽いものを椅子の上に載せたりしただけでは、ミラーディスプレイ１０の節電機能が解除されないので、電力の無駄遣いを防止することができるとともに、パネルの寿命が延長されてメンテナンスがより容易になる。
【００３１】
また、本発明では、多数設置され、複数の箇所から発生する音響による騒音発生を防止することができるようにする指向性スピーカー４０がミラーディスプレイ１０にそれぞれ連結されて設置されることが好ましいが、このような指向性スピーカー４０は、利用者が背をもたれかける椅子２０の背もたれ部の最上端に設置されるか、或いは前記椅子２０が配置された位置の天井に設置されることが好ましく、これによれば、前記指向性スピーカー４０によって利用者の位置した一定の範囲内でのみ音響を聞くことができるので、騒音による多数の利用者及び美容師同士の不和が生じることが遮断される。
【００３２】
第三に、スマート機器３０は、ミラーリングを用いてミラーディスプレイ１０を操作するための構成であって、利用者が携帯しているモバイルスマートフォンまたはタブレットＰＣなどの通常の機器として使用可能である。
【００３３】
したがって、美容室を利用する利用者は、スマート機器３０に設置されたアプリを実行させるか、或いはＩＤとパスワードを用いてサーバーに接続した後、ミラーリングされたミラーディスプレイ１０を制御することにより、所望のヘアスタイルの提供を受けることができる。
そして、提供されたヘアスタイルの選択は、ミラーリングを用いて利用者がスマート機器３０を操作して選択することができるのはもちろんのこと、美容師がミラーディスプレイ１０を操作して選択することもでき、その他にも利用者がエアタッチを用いてミラーディスプレイ１０を直接制御することもできる。
【００３４】
前述の過程によってヘアスタイルの選択が完了したときには、利用者の操作または自動制御によって、ミラーディスプレイ１０に構成されたカメラ１１が利用者の頭部を撮影するとともに、選択されたヘアスタイルが利用者の頭部に適用される作用が行われるため、ヘアスタイルが適用された利用者の頭部が利用者の動きに応じてミラーディスプレイ１０に立体的に見えるようになる。    
また、前記スマート機器３０のアプリまたはサーバーを用いて前記スマート機器３０及びミラーディスプレイ１０に提供されるヘアスタイルは、利用者の選択に応じて性別と年齢別のトレンド及びスタイルを順次選択して自分の所望するヘアスタイルとして検索することができるが、本発明では、上述した手動検索の他にも、自動設定機能をさらに含めて構成することにより、カメラ１１の撮影によるイメージセンシングを介して利用者の性別、年齢帯および顔型を自動的に把握し、似合うヘアスタイルが含まれているデータベースを自動的に見せるようにすることができることを特徴とする。
【００３５】
また、本発明の特許請求の範囲には記載していないが、スマート機器３０のカメラ１１または別途設置されたカメラを用いて利用者の頭皮を撮影した後、頭皮の状態をミラーディスプレイ１０の画面に表示することもできるため、頭皮改善のための治療などによって顧客の満足度をさらに向上させることもできる。
【００３６】
一方、本発明では、前記スマート機器３０のアプリまたはサーバーを用いて前記スマート機器３０及びミラーディスプレイ１０に提供されるヘアスタイルの詳細構成を選択することができる付加機能がさらに含まれて構成されることが好ましいが、このような付加機能は、染色またはコーティングの種類の選択や、染色またはコーティングに使うための薬品の製造会社の選択、薬品のカラーの選択などにより行われ、この際には、それぞれの付加機能の選択に応じてミラーディスプレイ１０に当該価格が表示されるようにすることにより、利用者の好み及び費用を適切に調律して所望のヘアスタイリングを実現することができるようにすることがさらに好ましい。
【００３７】
また、本発明を利用すれば、利用者の美容前、後の状態を比較することができるが、このような構成は、前記スマート機器３０によって操作されるミラーディスプレイ１０に録画機能と比較機能をさらに含めて構成することにより、容易に成し遂げることができる。
【００３８】
つまり、美容前のヘアスタイルと美容後のヘアスタイルを、カメラ１１を利用した録画機能によってそれぞれ保存した後、比較機能によってミラーディスプレイ１０の画像で比較することができ、これにより、利用者の満足度をさらに高めることができる。
【００３９】
併せて、本発明では、前記付加機能によって選択された事項、およびミラーディスプレイ１０を介して録画された美容後の画像をスマート機器３０のアプリまたはミラーディスプレイ１０に連携されたサーバーに登録することにより、他の美容室でも、既存のヘアスタイルの履歴及び画像を確認することができるが、これによれば、利用者が所望する最高のヘアスタイルを美容師に直接見せることができるので、ヘアスタイルのメンテナンスがより容易になる。
【００４０】
以下、本発明の仮想現実を利用したヘアスマートミラーシステムの作用についてより詳細に説明する。
【００４１】
まず、美容室に入場した利用者は、ミラーディスプレイ１０の設置された椅子２０に着座した状態で、スマート機器３０とミラーディスプレイ１０のミラーリングを成した後、前記スマート機器３０のアプリまたはＩＤとパスワードを用いてサーバーに接続する。
【００４２】
前述した方法で接続した後は、スマート機器３０を用いたミラーディスプレイ１０の制御またはミラーディスプレイ１０の操作によって所望のヘアスタイルを選択する。
【００４３】
ここで、前記ヘアスタイルの選択方法は、検索ウィンドウを用いて、芸能人のような有名人のヘアスタイルを検索する方法、性別と年齢別のトレンド及びスタイルを順次選択して自分の所望するヘアスタイルを検索する方法、および自動設定機能によって自分の年齢または顔型に似合うヘアスタイルを自動検索する方法に分けることができるが、前述のようにヘアスタイルを検索して選択した後には、付加機能によって詳細事項を追加選択することもできる。
【００４４】
つまり、利用者は、ヘアスタイルの選択の後、染色またはコーティングの種類の選択や、薬品の製造会社の選択、薬品のカラーの選択などといった付加機能をさらに実施することにより、自分の好みに合うヘアスタイルをより一層容易に選択することができる。
【００４５】
また、このような付加機能の追加選択の際には、それぞれの選択による価格がスマート機器３０及びミラーディスプレイ１０に表示されるが、これによれば、利用者が付加機能の選択による費用を直ちに確認することができるので、適切な費用の範囲内で、好みに合うヘアスタイルを調律して作ることができる。
【００４６】
前述のように付加機能を含むヘアスタイルの選択を完了した後は、スマート機器３０を利用した操作または自動制御によって選択されたヘアスタイルが利用者の頭部に適用され、カメラ１１の撮影を介してミラーディスプレイ１０に立体的に見えるようになる。
【００４７】
したがって、利用者は、頭部を回転させながら、選択したヘアスタイルが自分に合うかどうかを予め確認することができ、美容師は、画像を確認することにより、利用者の所望するヘアスタイルで正確にスタイリングすることができる。
併せて、美容師がヘアスタイリングをするときは、利用者がスマート機器３０を用いて、前記スマート機器３０とミラーリングされたミラーディスプレイ１０を制御することができるので、ＴＶ、映画、ショッピング、ゲーム、カカオトークなどの様々な機能を実行することができて待機時間の退屈さを減らすことができる。この際、発生する音響は、指向性スピーカー４０を介して利用者の位置した付近でのみ聞こえるようにすることができるので、騒音による不快感が周りの人に伝達されなくなる。
一方、利用者の身長が小さいときには、椅子に座った利用者の目の高さとミラーディスプレイ１０の画像の目の高さとが合わないため、利用者が不便をやや感じることができるが、このような不便は、角度調節手段１３に設けられた作動スイッチ１３ｃを介してアクチュエータ１３ｂを作動させて前記ミラーディスプレイ１０をヒンジ軸１３ａを基準に回動させることにより解決することができるため、利用者の身長に関係なく、ミラーディスプレイ１０の画像を容易に見ることができる。
【００４８】
また、利用者が椅子２０に座ったときにだけ、ミラーディスプレイ１０の画面が画像で表示されるようにする節電機能により、利用者がないときは、電力の無駄遣いを防止するだけでなく、パネルの寿命延長を実現することができるので、メンテナンスが容易になるという利点もある。
【００４９】
併せて、上述した説明は、美容室に待機人員が無いときを基準に説明したもので、美容室に待機人員があるときには、スマート機器３０とミラーディスプレイ１０のミラーリングを成し遂げる前に、前記スマート機器３０のアプリを介して接続してヘアスタイルを選択した後、ミラーディスプレイ１０とミラーリングする方法で使用することもできる。
【００５０】
以上で説明したように、本発明の仮想現実を利用したヘアスマートミラーシステムによれば、ミラーディスプレイ１０とミラーリングされるスマート機器３０を利用者が操作してＴＶ、映画、ショッピング、ゲーム、カカオトークなどの様々な機能を行うことができるうえ、最新のトレンドまたは有名人のヘアスタイルを、自分の好みと費用を適切に調律して自分の体に立体的に適用させることにより、自分に似合うヘアスタイルを簡単に実現することができ、録画機能、比較機能及び登録を介して美容前、後の状態比較だけでなく、他の美容室でも既存のヘアスタイルの履歴と画像を確認して同じスタイリングを行うことができ、角度調節手段１３によって利用者の身長に関係なくミラーディスプレイ１０の画像を容易に見ることができるうえ、メンテナンス費用の節減とその周りへの騒音拡散の防止を達成することができる。
【符号の説明】
【００５１】
１    壁面
１０    ミラーディスプレイ
１１    カメラ
１３    角度調節手段
１３ａ    ヒンジ軸
１３ｂ    アクチュエータ
１３ｃ    作動スイッチ
２０    椅子
２０ａ    作動センサー
３０    スマート機器
４０    指向性スピーカー
【図１】
0006292639.tif 000002
【図２】
0006292639.tif 000003
【図３】
0006292639.tif 000004